(57)【特許請求の範囲】
【請求項１】
情報センターから送信されるデータを情報提供端末で受信して、ユーザに提供する情報提供システムにおいて、
情報センターは、
情報提供端末に送信する、前記情報提供端末側でデータを書き換えすべき部分に、予め定められたパラメータワードを配置した形でテキストデータを作成するテキストデータ作成手段と、
前記テキストデータ作成手段によって作成されたテキストデータを情報提供端末に送信する第１の通信手段とを備え、
情報提供端末は、
前記第１の通信手段から送信されるテキストデータを受信する第２の通信手段と、
複数のパラメータワードと、各パラメータワードを書き換えるための書き換えデータとを対応付けたテーブルを格納するテーブル格納手段と、
前記第２の通信手段によって受信されたテキストデータの一部を、情報提供端末で検出できるデータを用いて前記パラメータワードが配置された箇所を書き換える際に、前記テキストデータに含まれているパラメータワードと、前記テーブル格納手段に格納されているテーブルとに基づいて、前記書き換えデータを特定し、特定した書き換えデータを用いて、前記パラメータワードが配置された箇所のデータの書き換えを行うデータ書き換え手段と、
前記データ書き換え手段によって書き換えられたデータをユーザに提供する提供手段と、を備え、
前記第２の通信手段は、情報センターから送信されてきたテキストデータに含まれているパラメータワードが前記テーブル格納手段に格納されているテーブルに含まれていない場合には、パラメータワードとパラメータワードを書き換えるための書き換えデータとを対応付けたテーブルを前記情報提供端末に送信する送信要求を情報センターに出すことを特徴とする情報提供システム。
【請求項２】
請求項１に記載の情報提供システムにおいて、
前記第１の通信手段は、前記第２の通信手段から送信要求を受信した場合には、前記テキストデータ作成手段によって作成されたテキストデータとともに、前記テキストデータに含まれているパラメータワードと当該パラメータワードを書き換えるための書き換えデータとを対応付けたテーブルを情報提供端末に送信することを特徴とする情報提供システム。
【請求項３】
請求項１又は２に記載の情報提供システムにおいて、
前記情報提供端末で検出できるデータには、時間の経過と共に内容が変化するデータが含まれることを特徴とする情報提供システム。
【請求項４】
請求項１又は２に記載の情報提供システムにおいて、
前記情報提供端末で検出できるデータには、地理的要因をもつデータが含まれることを特徴とする情報提供システム。
【請求項５】
請求項１〜４のいずれかに記載の情報提供システムにおいて、
前記テキストデータには、ユーザによって設定されるデータが含まれており、
前記データ書き換え手段は、ユーザによって設定されたデータを用いて、前記テキストデータの一部を書き換えることを特徴とする情報提供システム。
【請求項６】
請求項１〜５のいずれかに記載の情報提供システムにおいて、
前記データ書き換え手段は、前記第２の通信手段によって受信されたテキストデータに対して、情報提供端末の状況に応じたテキストデータを追加することを特徴とする情報提供システム。
【請求項７】
請求項１〜６のいずれかに記載の情報提供システムにおいて、
前記提供手段は、前記データ書き換え手段によって書き換えられたテキストデータを、ＴＴＳ機能によって、読み上げることを特徴とする情報提供システム。
【請求項８】
請求項１〜７のいずれかに記載の情報提供システムにおいて、
前記提供手段は、前記データ書き換え手段によって書き換えられたテキストデータを、モニタに表示することを特徴とする情報提供システム。
【請求項９】
情報センターから送信されるデータを受信して、ユーザに提供する情報提供装置において、
前記情報センターから送信され、前記情報提供装置側でデータを書き換えるべき部分に予め定められたパラメータワードが配置されたテキストデータを受信する受信手段と、
複数のパラメータワードと、各パラメータワードを書き換えるための書き換えデータとを対応付けたテーブルを格納するテーブル格納手段と、
前記受信手段によって受信されたテキストデータの一部を、前記情報提供装置で検出できるデータを用いて、前記テキストデータに含まれているパラメータワードと、前記テーブル格納手段に格納されているテーブルとに基づいて、前記書き換えデータを特定し、特定した書き換えデータを用いて、前記パラメータワードが配置された箇所のデータの書き換えを行うデータ書き換え手段と、
前記データ書き換え手段によって書き換えられたデータをユーザに提供する提供手段と、
前記情報センターから送信されてきたテキストデータに含まれているパラメータワードが前記テーブル格納手段に格納されているテーブルに含まれていない場合には、パラメータワードとパラメータワードを書き換えるための書き換えデータとを対応付けたテーブルを前記情報提供装置側に送信する送信要求を情報センターに出す送信手段と、を備えることを特徴とする情報提供装置。
【請求項１０】
請求項９に記載の情報提供装置において、
前記情報提供装置で検出できるデータには、時間の経過と共に変化するデータが含まれることを特徴とする情報提供装置。
【請求項１１】
請求項９又は１０に記載の情報提供装置において、
前記情報提供装置で検出できるデータには、地理的要因をもつデータが含まれることを特徴とする情報提供装置。
【請求項１２】
請求項９〜１１の何れか一項に記載の情報提供装置において、
前記情報提供装置で検出できるデータには、ユーザによって設定されたデータが含まれることを特徴とする情報提供装置。
【請求項１３】
請求項９〜１２の何れか一項に記載の情報提供装置において、
前記データ書き換え手段は、前記受信手段によって受信されたテキストデータに対して、情報提供装置の状況に応じたテキストデータを追加することを特徴とする情報提供装置。
【請求項１４】
請求項９〜１３の何れか一項に記載の情報提供装置において、
前記提供手段は、前記データ書き換え手段によって書き換えられたテキストデータを、ＴＴＳ機能によって、読み上げることを特徴とする情報提供装置。
【請求項１５】
請求項９〜１４の何れか一項に記載の情報提供装置において、
前記提供手段は、前記データ書き換え手段によって書き換えられたテキストデータを、モニタに表示することを特徴とする情報提供装置。
【請求項１６】
情報センターから送信されるデータを情報提供端末で受信して、ユーザに提供する情報提供方法において、
前記情報センターは、
前記情報提供端末に送信するテキストデータであって、前記情報提供端末側でデータを書き換えすべき部分に、予め定められたパラメータワードが配置されたテキストデータを作成して、情報提供端末に送信し、
情報提供端末は、
情報センターから送信されたテキストデータを受信し、
前記テキストデータに含まれているパラメータワードと、パラメータワードが、複数のパラメータワードと、各パラメータワードを書き換えるための書き換えデータとを対応付けて格納されたテーブルとに基づいて、前記書き換えデータを特定し、特定した書き換えデータを用いて、前記パラメータワードが配置された箇所のデータの書き換えを行い、
前記書き換えられたデータをユーザに提供し、
前記データの書き換えの際に、情報センターから送信されてきたテキストデータに含まれているパラメータワードが、複数のパラメータワードと、各パラメータワードを書き換えるための書き換えデータとを対応付けて格納されたテーブルに含まれていない場合には、パラメータワードとパラメータワードを書き換えるための書き換えデータとを対応付けたテーブルを前記情報端末へ送信する送信要求を情報センターに出すことを特徴とする情報提供方法。
【請求項１７】
情報センターから送信されるデータを受信して、ユーザに提供する情報提供装置用のコンピュータに、
前記情報センターから送信され、前記情報提供装置側でデータを書き換えるべき部分に予め定められたパラメータワードが配置されたテキストデータを受信する処理と、
前記受信手段によって受信されたテキストデータの一部を、前記情報提供装置で検出できるデータを用いて、前記テキストデータに含まれているパラメータワードと、複数のパラメータワードと、各パラメータワードを書き換えるための書き換えデータとを対応付けたテーブルとに基づいて、前記書き換えデータを特定し、当該特定した書き換えデータを用いて、前記パラメータワードが配置された箇所のデータの書き換えを行う処理と、
前記書き換えられたデータをユーザに提供する処理と、
前記書き換えを行う処理において、情報センターから送信されてきたテキストデータに含まれているパラメータワードが前記テーブルに含まれていない場合には、パラメータワードと当該パラメータワードを書き換えるための書き換えデータとを対応付けたテーブルを前記情報提供装置側に送信する送信要求を情報センターに出す処理と、を前記コンピュータに実行させるためのデータ処理プログラム。

【発明の詳細な説明】
【技術分野】
【０００１】
本発明は、ユーザに情報を提供する情報提供装置、情報提供システム、情報提供方法、および、ユーザに提供するためのデータを処理するデータ処理プログラムに関する。
【背景技術】
【０００２】
従来、カーナビゲーション装置において、音声によるルート案内をタイミングよく行うために、車両の走行速度に応じて、ルート案内を行うタイミングを調整する技術が知られている（特許文献１参照）。
【０００３】
【特許文献１】特開２００１−２４１９６２号公報
【発明の開示】
【発明が解決しようとする課題】
【０００４】
しかしながら、ユーザに提供する情報を、情報提供センターから車載機にダウンロードするシステムに対して、従来の技術を適用した場合、情報をダウンロードするのに時間がかかるため、ダウンロードした情報の中に、時間の経過とともに内容が変化する情報が含まれている場合には、正確な情報をユーザに提供することができないという問題があった。
【課題を解決するための手段】
【０００５】
（１）本発明による情報提供システムは、情報センターから送信されるデータを情報提供端末で受信して、ユーザに提供するシステムであって、情報センターは、情報提供端末に送信するテキストデータを作成して、情報提供端末に送信し、情報提供端末は、情報センターから送信されるテキストデータを受信し、受信したテキストデータの一部を、情報提供端末で検出できるデータを用いて書き換えてから、ユーザに提供することを特徴とする。
（２）本発明による情報提供装置は、情報センターから送信されるテキストデータの一部を、情報提供装置で検出できるデータを用いて書き換えてから、ユーザに提供することを特徴とする。
（３）本発明による情報提供方法は、情報センターから送信されるデータを情報提供端末で受信して、ユーザに提供する方法であって、情報センターは、情報提供端末に送信するテキストデータを作成して、情報提供端末に送信し、情報提供端末は、情報センターから送信されるテキストデータを受信し、受信したテキストデータの一部を、情報提供端末で検出できるデータを用いて書き換えてから、ユーザに提供することを特徴とする。
（４）本発明によるデータ処理プログラムは、ユーザに提供するために情報センターから送信されてくるテキストデータのうち、情報提供端末で検出できるデータが含まれているか否かを判定する処理と、テキストデータに、情報提供端末で検出できるデータが含まれていると判定すると、情報提供端末で検出されるデータを取得する処理と、取得したデータを用いて、テキストデータの一部を書き換える処理とをコンピュータに実行させることを特徴とする。
【発明の効果】
【０００６】
（１）本発明による情報提供システムによれば、情報センターから送信されるテキストデータの一部を、情報提供端末で検出できるデータを用いて書き換えてから、ユーザに提供するので、情報センターからデータをダウンロードする際に内容が変わってしまうデータを情報提供端末側で書き換えて、正確な情報をユーザに提供することができる。
（２）本発明による情報提供装置によれば、情報センターから送信されるテキストデータの一部を、情報提供装置で検出できるデータを用いて書き換えてから、ユーザに提供するので、情報センターからデータをダウンロードする際に内容が変わってしまうようなデータを書き換えて、正確な情報をユーザに提供することができる。
（３）本発明による情報提供方法によれば、情報センターから送信されるテキストデータの一部を、情報提供端末で検出できるデータを用いて書き換えてから、ユーザに提供するので、情報センターからデータをダウンロードする際に内容が変わってしまうデータを情報提供端末側で書き換えて、正確な情報をユーザに提供することができる。
（４）本発明によるデータ処理プログラムによれば、情報センターから送信されてくるテキストデータの一部を、情報提供端末で検出されるデータを用いて書き換えるので、情報センターからデータをダウンロードする際に内容が変わってしまうようなデータを書き換えて、正確な情報をユーザに提供することができる。
【発明を実施するための最良の形態】
【０００７】
図１は、一実施の形態における情報提供システムの全体構成を示す図である。一実施の形態における情報提供システムでは、無線通信によって、情報センター２００から車載機１００にデータを送信し、車載機１００で受信されたデータがユーザに提供される。図１では、１つの車載機１００のみを示しているが、情報センター２００は、複数の車載機と通信を行うことができる。
【０００８】
車載機１００は、時刻検知部１と、車速センサ２と、室内温度センサ３と、外気温センサ４と、オーディオ情報取得部５と、半ドア検知部６と、現在地検知部７と、携帯電話情報取得部８と、ナビ情報取得部９と、処理装置１０と、マイク１１と、操作スイッチ１２と、スピーカ１３と、パラメータワード記憶装置１４と、ナビゲーションユニット１５と、オーディオ装置１６と、モニタ１７と、通信アダプタ１８と、携帯電話１９とを備える。
【０００９】
時刻検知部１は、現在時刻を検知する。車速センサ２は、車両の速度を検出する。室内温度センサ３は、車室内の温度を検出する。外気温センサ４は、車室外の温度を検出する。オーディオ情報取得部５は、オーディオ装置１６に関する情報、特に、演奏中の曲や、次に演奏する曲に関する情報（曲名、アーティスト名）を取得する。半ドア検知部６は、車両のドアが完全に閉まっていない半ドア状態を検知する。
【００１０】
現在地検知部７は、例えば、ＧＰＳセンサであり、車両の現在地を検知する。携帯電話情報取得部８は、携帯電話１９の電界強度（電波状況）の情報を取得する。ナビ情報取得部９は、走行している道路の名称や、目的地までの距離の情報など、ナビゲーションに関する情報をナビゲーションユニット１５から取得する。
【００１１】
マイク１１は、ナビゲーションユニット１５や処理装置１０に対して、ユーザが音声で指令を出す際に用いられる。処理装置１０に対する指令には、情報センター２００に情報取得要求を出すための指令も含まれる。操作スイッチ１２は、ナビゲーションユニット１５の操作、オーディオ装置１６の操作、モニタ１７に表示される画面の操作、情報センター２００に情報取得要求の指令を出すための操作等、ユーザが各種の操作を行うために用いられる。スピーカ１３は、ナビゲーションユニット１５による経路案内を行う際の音声、オーディオ装置によって再生される音楽、および、情報センター２００から受信したデータをＴＴＳ機能によって音声読み上げ処理を行った際の音声を出力する。
【００１２】
パラメータワード記憶装置１４には、後述するパラメータワードテーブルが格納されている。ナビゲーションユニット１５は、目的地までの推奨経路の演算や、演算した推奨経路の案内等の処理を行う。オーディオ装置１６は、複数の音楽データを格納しており、格納している音楽データの再生処理を行う。モニタ１７は、車両周辺の地図、目的地までの推奨経路や、情報センター２００から受信したデータを表示する。
【００１３】
通信アダプタ１８は、情報センター２００との間の通信制御を行う。通信アダプタ１８と接続される携帯電話１９は、一般回線網３０を介して、情報センター２００の通信装置２１との間で、様々なデータの授受を行い、特に、ユーザに提供するためのデータを情報センター２００から取得する。
【００１４】
図２は、処理装置１０の詳細な構成を示す図である。処理装置１０は、内部で行う処理機能上、ＴＴＳテキスト受信部１０１と、ＴＴＳテキスト読み上げ部１０２と、ＴＴＳテキスト解析部１０３と、パラメータワード解析部１０４と、パラメータワード置換部１０５とを備える。
【００１５】
ＴＴＳテキスト受信部１０１は、情報センター２００から送信され、携帯電話１９で受信したテキストデータを、通信アダプタ１８を介して取得する。ＴＴＳテキスト受信部１０１で取得されたテキストデータは、ＴＴＳテキスト解析部１０３に送られる。
【００１６】
図３は、ＴＴＳテキスト解析部１０３に送られてきたテキストデータの一例である。このテキストデータには、車載機１側でデータの書き換えを行うためのパラメータワードが含まれている。ここでは、２つの％の記号で挟まれたワードをパラメータワードとする。例えば、図３に示すテキストデータには、「％hour％」、「％minute％」、および、「％cur_name％」という３つのパラメータワードが含まれている。ＴＴＳテキスト解析部１０３は、情報センター２００から送信されてきたテキストデータの中から、パラメータワードを抽出する。
【００１７】
パラメータワード解析部１０４は、パラメータワード記憶装置１４に記憶されているパラメータワードテーブルに基づいて、ＴＴＳテキスト解析部１０３で抽出されたパラメータワードの解析を行う。図４は、パラメータワード記憶装置１４に記憶されているパラメータワードテーブルの一例を示す図である。このパラメータワードテーブルには、各パラメータワードごとに、パラメータワードの意味およびパラメータワードの説明が含まれている。例えば、図４に示すパラメータワードテーブルの番号１に記載されているパラメータワード％year％は、現在の日付のうち、「年」を表しており、番号１４に記載されている％dest_name％は、ナビゲーションユニット１５に設定されている目的地の名称を表している。
【００１８】
パラメータワードテーブルに格納するパラメータワードは、予め決めておく。図４に示すパラメータワードテーブルには、時間の経過とともに変化する時刻のデータや、ナビゲーションユニット１５に設定する目的地のデータ、オーディオ装置１６で再生している曲の名称のデータ等のように、ユーザによって設定されるデータなど、車載機１００側で検出可能なデータがパラメータワードとして格納されている。
【００１９】
パラメータワード解析部１０４は、パラメータワード記憶装置１４に記憶されているパラメータワードテーブルを参照して、ＴＴＳテキスト解析部１０３で抽出されたパラメータワードの解析を行う。受信したテキストデータが図３に示すようなものであった場合、テキストデータに含まれているパラメータワード「％hour％」は、現在時刻の時を、パラメータワード「％minute％」は、現在時刻の分を、パラメータワード「％cur_name％」は、車両の現在地を表していると解析する。
【００２０】
パラメータワード置換部１０５は、パラメータワード解析部１０４の解析結果に基づいて、パラメータワードの置換を行う。例えば、時刻検知部１によって検知される現在時刻が１７時３３分の場合、パラメータワード「％hour％」および「％minute％」の部分は、それぞれ「１７時」および「３３分」と置き換える。また、現在地検知部７によって検知される現在地が「駅前交差点」である場合、パラメータワード「％cur_name％」の部分は、「駅前交差点」と置き換える。従って、情報センター２００から送信されてきたテキストデータのうち、「時刻が％hour％ ％minute％になりました」という文章は、「時刻が１７時３３分になりました」と置き換えられ、「現在地は、％cur_name％です」という文章は、「現在地は、駅前交差点です」と置き換えられる。図５は、パラメータワード置換部１０５によって、パラメータワードの置換が行われた後のデータを示す図である。
【００２１】
ＴＴＳ（Text-to-Speech）機能を備えているＴＴＳテキスト読み上げ部１０２は、パラメータワード置換部１０５によって、パラメータワードの置換が行われた後のテキストデータを、合成音声にて読み上げる。ＴＴＳテキスト読み上げ部１０２によってテキストデータを読み上げた際の音声は、スピーカ１３から出力される。
【００２２】
情報センター２００は、通信装置２１と、情報処理装置２２と、パラメータワード記憶装置２３とを備える。パラメータワード記憶装置２３には、車載機１００のパラメータワード記憶装置１４に格納されているパラメータワードテーブルと同じパラメータワードテーブルが格納されている。
【００２３】
情報処理装置２２は、インターネット回線や、図示しない外部サーバと接続されており、車載機１００からの要求に応じて、車載機１００に送信するテキストデータを作成する。この時、車載機１側でデータの書き換えを行うべき部分には、パラメータワードを埋め込む。例えば、「時刻が１７時３０分になりました」というテキストデータを作成する場合には、パラメータワード記憶装置２３に格納されているパラメータワードテーブルを参照することによって、時刻を示すパラメータワード％hour％、および、％minute％を抽出して、「時刻が％hour％ ％minute％になりました」というテキストデータを作成する。作成したテキストデータは、通信装置２１を介して、情報取得要求信号を送信してきた車載機１００の携帯電話１９に送信する。
【００２４】
上述したように、一実施の形態における情報提供システムは、情報センター２００から車載機１００にデータを送信し、車載機１００からユーザにデータ（情報）を提供するシステムにおいて、車載機１００は、受信したテキストデータの中から書き換えすべき箇所を特定してデータを書き換える。図３に示す例では、書き換えすべきデータとして、時刻および現在位置のデータが含まれている例を挙げて説明した。以下では、書き換えすべきデータの別の例を挙げて説明する。
【００２５】
図６は、情報センター２００から送信されてきたテキストデータの他の一例を示す図である。図６に示すテキストデータには、オーディオ装置１６で再生する曲名に関するパラメータワードが含まれている。情報センター２００の情報処理装置２２は、車載機１００から情報取得要求信号を受けた際に、信号の中に、オーディオ装置１６で音楽を再生中であるとの情報が含まれていると、図６に示すようなテキストデータを作成する。
【００２６】
図６に示すテキストデータに含まれているパラメータワード％msv_trackname_pre％は、オーディオ装置１６で再生中の曲名を、パラメータワード％msv_trackname_next％は、オーディオ装置１６で次に再生する曲名を表している。従って、パラメータワード置換部１０５は、オーディオ情報取得部５から、オーディオ装置１６で再生中の曲名、および、オーディオ装置１６で次に再生する曲名を取得する。
【００２７】
また、図６に示すテキストデータに含まれるパラメータワード％contents％は、車載機１００において次に提供するコンテンツの内容を表している。パラメータワード置換部１０５は、情報センター２００から取得したテキストデータに対して、テキストデータに含まれているパラメータワードを書き換える処理を行う。図７は、図６に示すテキストデータに含まれているパラメータワードの置換が行われた後のデータを示す図である。
【００２８】
図８は、情報センター２００から送信されてきたデータのさらに別の一例を示す図である。図８に示すテキストデータには、パラメータワード％S_car_speed％が含まれている。このパラメータワード％S_car_speed％は、安全促進情報を表している。図９は、パラメータワード％S_car_speed％と置換するテキストの一例を示すテーブルであり、パラメータワード記憶装置１４に格納されている。図９に示すように、パラメータワード％S_car_speed％と置換するテキストは、車両の速度、および、車両が走行している道路の種別に応じて異なる。例えば、一般道を走行している車両の速度が２０ｋｍ／ｈである場合のテキストは、「車の流れに気を付けてください」であり、有料道路を走行している車両の速度が８０ｋｍ／ｈである場合のテキストは、「このまま安全運転をこころがけてください」である。
【００２９】
パラメータワード置換部１０５は、車速センサ２から車両の速度のデータを取得するとともに、ナビゲーションユニット１５から、車両が走行している道路の種別のデータを取得し、図９に示すテーブル参照して、パラメータワード％S_car_speed％と置換するテキストを抽出し、置換処理を行う。図１０は、図９に示すテキストデータに含まれているパラメータワードの置換が行われた後のデータを示す図である。
【００３０】
図１１は、情報センター２００から送信されてきたテキストデータのさらに別の一例を示す図である。情報センター２００の情報処理装置２２は、車載機１００から情報取得要求信号を受けた際に、信号の中に、オーディオ装置１６でラジオ放送を再生中であるとの情報が含まれていると、図１１に示すようなテキストデータを作成する。図１１に示すテキストデータには、オーディオ装置１６によって再生されているＡＭ放送またはＦＭ報道などのラジオ放送に関するパラメータワードが含まれている。パラメータワード％Radio_CH_name％は、ラジオ放送の局名を、パラメータワード％Radio_Contents_name％は、提供中の番組名を表している。
【００３１】
情報センター２００は、ラジオ放送に関するパラメータワードを含むテキストデータを車載機１００に送信する際に、ラジオ放送の局名や番組名を特定するためのラジオ放送データテーブルも一緒に送信する。図１２は、ラジオ放送データテーブルの一例を示す図である。図１２に示すラジオ放送データテーブルには、ラジオ放送を受信する地区、ＦＭ／ＡＭの種別、周波数、時間帯、放送局名、および、番組名が含まれている。
【００３２】
パラメータワード解析部１０４は、情報センター２００から送信されてくるラジオ放送データテーブルに基づいて、放送局名および番組名を特定する。パラメータワード置換部１０５は、情報センター２００から送信されてきたデータのうち、パラメータワード％Radio_CH_name％、および、％Radio_Contents_name％の部分を、パラメータワード解析部１０４で特定された放送局名および番組名にそれぞれ置き換える。図１３は、図１１に示すテキストデータに含まれているパラメータワードの置換が行われた後のテキストデータを示す図である。
【００３３】
図１４は、一実施の形態における情報提供システムにおいて行われる処理内容を示すフローチャートである。車載機１００の電源がオンされると、処理装置１０は、ステップＳ１０の処理を開始する。ステップＳ１０において、処理装置１０のＴＴＳテキスト受信部１０１は、マイク１１または操作スイッチ１２に対して、情報センター２００に情報取得要求を出すための操作をユーザが行った否かを判定する。ユーザによる情報取得要求が出されていないと判定するとステップＳ１０で待機し、情報取得要求が出されたと判定すると、ステップＳ２０に進む。ステップＳ２０では、通信アダプタ１８および携帯電話１９を介して、情報取得要求信号を情報センター２００に出す。
【００３４】
情報センター２００の情報処理装置２２は、ステップＳ１００において、車載機１００から送信される情報取得要求信号を受信したか否かを判定する。情報取得要求信号を受信していないと判定するとステップＳ１００で待機し、受信したと判定すると、ステップＳ１１０に進む。ステップＳ１１０では、車載機１００からの要求に応じて、車載機１００に送信するテキストデータを作成する。上述したように、時間の経過とともに内容が変わってしまうデータについては、パラメータワード記憶装置２３に格納されているパラメータワードテーブルを参照することによって、パラメータワードを読み出して、テキストデータに埋め込む。テキストデータを作成すると、ステップＳ１２０に進む。ステップＳ１２０では、ステップＳ１１０で作成したテキストデータを、通信装置２１を介して、情報取得要求信号を送信してきた車載機１００に送信する。
【００３５】
車載機１００の処理装置１０は、ステップＳ３０において、情報センター２００から送信されるテキストデータを受信したか否かを判定する。テキストデータを受信していないと判定するとステップＳ３０で待機し、テキストデータを受信したと判定すると、ステップＳ４０に進む。ステップＳ４０では、受信したテキストデータにパラメータワードが含まれているか否かを判定する。この判定は、処理装置１０のＴＴＳテキスト解析部１０３によって行われる。パラメータワードが含まれていないと判定するとステップＳ７０に進み、パラメータワードが含まれていると判定すると、ステップＳ５０に進む。  
【００３６】
ステップＳ５０において、処理装置１０のパラメータワード解析部１０４は、パラメータワード記憶装置１４に記憶されているパラメータワードテーブルを参照して、テキストデータに含まれているパラメータワードの解析を行う。パラメータワードの解析を行うと、ステップＳ６０に進む。ステップＳ６０において、処理装置１０のパラメータワード置換部１０５は、パラメータワード解析部１０４の解析結果に基づいて、パラメータワードの置換を行う。パラメータワードの置換を行うと、ステップＳ７０に進む。
【００３７】
ステップＳ７０において、処理装置１０のＴＴＳテキスト読み上げ部１０２は、パラメータワード置換部１０５によって、パラメータワードの置換が行われた後のテキストデータを、合成音声にて読み上げ、スピーカ１３から音声出力する。この時、パラメータワードの置換が行われた後のテキストデータをモニタ１７に表示するようにしてもよい。情報センター２００から取得したデータをユーザに提供すると、車載機１００および情報センター２００で行われる処理は終了する。
【００３８】
一実施の形態における情報提供システムによれば、情報センター２００でテキストデータを作成して、車載機１００に送信し、車載機１００側において、受信したテキストデータの一部を、車載機１００で検出できるデータを用いて書き換えてから、ユーザに提供するので、時間の経過と共に変化するデータを車載機側で書き換えて、正確な情報をユーザに提供することができる。テキストデータに時刻や車両位置などのデータが含まれている場合、テキストデータを情報センター２００から車載機１００にダウンロードしている間に、誤差が生じてしまうが、一実施の形態における情報提供システムによれば、車載機１００側で正確なデータに書き換えたデータをユーザに提供することができる。
【００３９】
一実施の形態における情報提供システムによれば、情報センター２００でテキストデータを作成する際に、車載機１００側でデータを書き換えすべき部分に、予め定められたパラメータワードを配置した形でテキストデータを作成して、車載機１００に送信するので、車載機１００側において、データを書き換えすべき箇所を容易に特定することができる。また、車載機１００は、複数のパラメータワードと、各パラメータワードを書き換えるための書き換えデータとを対応付けたテーブルを保持しており、このテーブルを参照することによって、テキストデータに含まれているパラメータワードの書き換えを行うので、パラメータワードの書き換えを迅速かつ容易に行うことができる。
【００４０】
また、一実施の形態における情報提供システムによれば、情報センター２００から、車載機１００のパラメータワード記憶装置１４に記憶されているパラメータワードテーブルに含まれていないパラメータワードを含むテキストデータを送信する場合、テキストデータとともに、それらのパラメータワードを含むパラメータワードテーブルも車載機１００に送信するので、車載機１００側において、容易にパラメータワードの書き換えを行うことができる。
【００４１】
一実施の形態における情報提供システムによれば、テキストデータに含まれているパラメータワード％S_car_speed％を、車速および走行している道路の種別に応じたテキストデータと置き換えるようにしたので、車両の状況に応じた情報をユーザに提供することができる。
【００４２】
本発明は、上述した一実施の形態に限定されることはない。例えば、パラメータワードの一例を図４に示したが、パラメータワードは図４に示されているものに限定されることはなく、少なくとも車載機１００側で検出できるデータであればよい。
【００４３】
情報センター２００のパラメータワード記憶装置２３に格納されているパラメータワードテーブルの内容は、更新できるようにしておくこともできる。この場合、パラメータワード記憶装置２３に格納されているパラメータワードテーブルの内容の更新に伴って、更新されたパラメータワードテーブルを車載機１００にも送信して、パラメータワード記憶装置１４に格納するパラメータワードテーブルを最新のものにしておくことが好ましい。
【００４４】
車載機１００において、テキストデータに含まれているパラメータワードがパラメータワード記憶装置１４に記憶されているパラメータワードテーブルに含まれていないことを検出した場合、パラメータワードとパラメータワードを書き換えるための書き換えデータとを対応付けたテーブルの送信要求を情報センター２００に出すようにしてもよい。この要求を受けた情報センター２００は、作成したテキストデータに含まれているパラメータワードとパラメータワードを書き換えるための書き換えデータとを対応付けたテーブルを作成して、車載機１００に送信すればよい。
【００４５】
上述した一実施の形態では、テキストデータに含まれているパラメータワード％S_car_speed％を、車速および走行している道路の種別に応じたテキストデータと置き換えるようにして、車両の状況に応じた情報をユーザに提供できるようにした。同様に、車速や走行している道路の種別以外の車両情報を検出し、検出した車両情報に応じたデータをユーザに提供することもできる。
【００４６】
上述した一実施の形態では、車速および走行している道路の種別に応じたテキストデータを格納したテーブル（図９参照）を車載機１００側で保持するようにしたが、情報センター２００側で保持するようにしてもよい。この場合、テキストデータとともに、図９に示すようなテーブルを車載機１００に送信してもよいし、車載機１００からの要求に応じて、テーブルデータを車載機１００に送信してもよい。
【００４７】
情報センター２００は、車載機１００側で書き換えすべき部分にパラメータワードを配置した形でテキストデータを作成して送信したが、パラメータワードを配置せずにテキストデータを作成・送信することもできる。この場合、車載機１００側でテキストデータを解析して、車載機１００側で検出できるデータが含まれていれば、その部分を書き換えるようにすればよい。
【００４８】
上述した一実施の形態では、情報センター２００から車載機１００にデータを送信する例を挙げて説明したが、情報センター２００からデータを送信する先は、ＰＤＡや携帯電話、パーソナルコンピュータなどの端末であってもよい。
【００４９】
車載機１００で行われるデータ処理プログラム（図１４に示すフローチャートのステップＳ３０〜Ｓ７０の処理を行うプログラム）は、ＣＤ−ＲＯＭ、ＤＶＤ−ＲＯＭなどの記録媒体やインターネットなどのデータ信号を通じて提供することができる。図１５はその様子を示す図である。パーソナルコンピュータ３００は、ＣＤ−ＲＯＭ３０４を介してプログラムの提供を受ける。また、パーソナルコンピュータ３００は、通信回線３０１との接続機能を有する。コンピュータ３０２は上記プログラムを提供するサーバーコンピュータであり、ハードディスク３０３などの記録媒体にプログラムを格納する。通信回線３０１は、インターネット、パソコン通信などの通信回線、あるいは専用通信回線などである。コンピュータ３０２はハードディスク３０３を使用してプログラムを読み出し、通信回線３０１を介してプログラムをパーソナルコンピュータ３００に送信する。このように、プログラムは、記録媒体や搬送波などの種々の形態のコンピュータ読み込み可能なコンピュータプログラム製品として供給できる。
【００５０】
特許請求の範囲の構成要素と一実施の形態の構成要素との対応関係は次の通りである。すなわち、情報処理装置２２がテキストデータ作成手段を、通信装置２１が第１の通信手段、受信手段および送信手段を、携帯電話１９および通信アダプタ１８が第２の通信手段を、処理装置１０がデータ書き換え手段を、スピーカ１３およびモニタ１７が提供手段を、パラメータワード記憶装置１４がテーブル格納手段をそれぞれ構成する。なお、以上の説明はあくまで一例であり、発明を解釈する上で、上記の実施形態の構成要素と本発明の構成要素との対応関係に何ら限定されるものではない。
【図面の簡単な説明】
【００５１】
【図１】一実施の形態における情報提供システムの全体構成を示す図
【図２】処理装置の詳細な構成を示す図
【図３】情報センターから送られてきたテキストデータの一例を示す図
【図４】パラメータワード記憶装置に記憶されているパラメータワードテーブルの一例を示す図
【図５】図３に示すテキストデータに対して、パラメータワードの置換が行われた後のデータを示す図
【図６】情報センターから送信されてきたテキストデータの他の一例を示す図
【図７】図６に示すテキストデータに対して、パラメータワードの置換が行われた後のデータを示す図
【図８】情報センターから送信されてきたテキストデータのさらに別の一例を示す図
【図９】パラメータワード％S_car_speed％と置換するテキストの一例を示すテーブル
【図１０】図８に示すデータに対して、パラメータワードの置換が行われた後のデータを示す図
【図１１】情報センターから送信されてきたデータのさらに別の一例を示す図
【図１２】ラジオ放送データテーブルの一例を示す図
【図１３】図１１に示すテキストデータに対して、パラメータワードの置換が行われた後のデータを示す図
【図１４】一実施の形態における情報提供システムにおいて行われる処理内容を示すフローチャート
【図１５】データ処理プログラムを、ＣＤ−ＲＯＭ、ＤＶＤ−ＲＯＭなどの記録媒体やインターネットなどのデータ信号を通じて提供する様子を示す図
【符号の説明】
【００５２】
１…時刻検知部、２…車速センサ、３…室内温度センサ、４…外気温センサ、５…オーディオ情報取得部、６…半ドア検知部、７…現在地検知部、８…携帯電話情報取得部、９…ナビ情報取得部、１０…処理装置、１１…マイク、１２…操作スイッチ、１３…スピーカ、１４…パラメータワード記憶装置、１５…ナビゲーションユニット、１６…オーディオ装置、１７…モニタ、１８…通信アダプタ、１９…携帯電話、２１…通信装置、２２…情報処理装置、２３…パラメータワード記憶装置、１００…車載機、１０１…ＴＴＳテキスト受信部、１０２…ＴＴＳテキスト読み上げ部、１０３…ＴＴＳテキスト解析部、１０４…パラメータワード解析部、１０５…パラメータワード置換部、２００…情報センター、３００…パーソナルコンピュータ、３０１…通信回線、３０２…コンピュータ、３０３…ハードディスク、３０４…ＣＤ−ＲＯＭ
【図１】
0004706416.tif 000002
【図２】
0004706416.tif 000003
【図３】
0004706416.tif 000004
【図４】
0004706416.tif 000005
【図５】
0004706416.tif 000006
【図６】
0004706416.tif 000007
【図７】
0004706416.tif 000008
【図８】
0004706416.tif 000009
【図９】
0004706416.tif 000010
【図１０】
0004706416.tif 000011
【図１１】
0004706416.tif 000012
【図１２】
0004706416.tif 000013
【図１３】
0004706416.tif 000014
【図１４】
0004706416.tif 000015
【図１５】
0004706416.tif 000016